(57)【特許請求の範囲】
【請求項１】
観賞用の模型を組み立てるための少なくとも第１パーツ及び第２パーツを備えた組立用パーツセットであって、
前記第１パーツは、
第１本体部と、
前記第２パーツと連結するための第１連結部とを有し、
前記第１連結部は、第１凸部及び第１凹部を有し、
前記第２パーツは、
第２本体部と、
前記第１パーツと連結するための第２連結部とを有し、
前記第２連結部は、第２凸部及び第２凹部を有し、
前記第１凸部と前記第２凹部は係合可能であり、
前記第１凹部と前記第２凸部は係合可能であり、
前記第１パーツと前記第２パーツを連結したときに、前記第１パーツと前記第２パーツは互いに摩擦しながら回転可能である、ことを特徴とする組立用パーツセット。
【請求項２】
前記第１連結部は、前記第１凸部及び前記第１凹部により波形状に形成され、
前記第２連結部は、前記第２凸部及び前記第２凹部により波形状に形成されている、ことを特徴とする請求項１に記載の組立用パーツセット。
【請求項３】
観賞用の模型を組み立てるための少なくとも第１パーツ及び第２パーツを備えた組立用パーツセットであって、
前記第１パーツは、
第１本体部と、
前記第２パーツと連結するための第１連結部と、
前記第１本体部の内部を充填する第１充填部とを有し、
前記第２パーツは、
第２本体部と、
前記第１パーツと連結するための第２連結部と、
前記第２本体部の内部を充填する第２充填部とを有し、
前記第１充填部又は前記第２充填部には、磁石が設けられている、ことを特徴とする組立用パーツセット。
【請求項４】
前記第１充填部は、前記第１連結部の先に突き出る凸状部を有する、ことを特徴とする請求項３に記載の組立用パーツセット。
【請求項５】
前記第２充填部は、前記第２連結部の手前に窪む凹状部を有し、
前記第１パーツ及び前記第２パーツが連結している状態において、前記凸状部は、前記凹状部に挿入されている、ことを特徴とする請求項４に記載の組立用パーツセット。
【請求項６】
前記凸状部及び前記凹状部のうちの少なくとも一方は、前記磁石を有し、
前記凸状部と前記凹状部は、前記磁石の磁力により引き合う、ことを特徴とする請求項５に記載の組立用パーツセット。
【請求項７】
香りを発生させる香り発生部を有する、ことを特徴とする請求項１又は請求項３に記載の組立用パーツセット。
【請求項８】
前記観賞用の模型は、植物の模型である、ことを特徴とする請求項１又は請求項３に記載の組立用パーツセット。
【請求項９】
前記第１パーツ又は前記第２パーツは、前記植物の葉または花に対応するパーツである、ことを特徴とする請求項８に記載の組立用パーツセット。
【請求項１０】
香りを発生させる香り発生部を有し、
前記香りは前記植物の模型に関連する香りである、ことを特徴とする請求項８に記載の組立用パーツセット。
【請求項１１】
光を発生させる光発生部を有する、ことを特徴とする請求項１又は請求項３に記載の組立用パーツセット。
【発明の詳細な説明】
【技術分野】
【０００１】
本発明は、組立用パーツセットに関する。
【背景技術】
【０００２】
針金等で形成された植物模型の枝を束ねて紙テープで巻きつけることにより観賞用模型を構成する従来技術が知られている（例えば、特許文献１参照）。
【先行技術文献】
【特許文献】
【０００３】
【特許文献１】実開昭５７−０８２３６４号公報
【発明の概要】
【発明が解決しようとする課題】
【０００４】
しかしながら、従来技術は観賞用植物模型の草花の種類や見栄えを変更あるいは調整する場合には、枝を束ねている紙テープをほどき、再度枝を束ねて紙テープで巻きつける必要がある。また、紙テープを巻く人によって出来栄えが左右されるという課題がある。
【０００５】
本発明はこのような事情に鑑みてなされたものであり、ユーザーの技量によって出来栄えに差が生じることを抑制することができる、自作可能な観賞用の模型を提供することを目的としている。
【課題を解決するための手段】
【０００６】
本発明によれば、観賞用の模型を組み立てるための少なくとも第１パーツ及び第２パーツを備えた組立用パーツセットであって、前記第１パーツは、第１本体部と、前記第２パーツと連結するための第１連結部とを有し、前記第２パーツは、第２本体部と、前記第１パーツと連結するための第２連結部とを有する組立用パーツセットが提供される。
【０００７】
好ましくは、前記第１連結部は、第１凸部及び第１凹部を有し、前記第２連結部は、第２凸部及び第２凹部を有する、組立用パーツセットが提供される。
好ましくは、前記第１凸部と前記第２凹部は係合可能であり、前記第１凹部と前記第２凸部は係合可能である、組立用パーツセットが提供される。
好ましくは、前記第１パーツと前記第２パーツを連結したときに、前記第１パーツと前記第２パーツは互いに摩擦しながら回転可能である、組立用パーツセットが提供される。
好ましくは、前記第１連結部は、前記第１凸部及び前記第１凹部により波形状に形成され、前記第２連結部は、前記第２凸部及び前記第２凹部により波形状に形成されている、組立用パーツセットが提供される。
好ましくは、前記第１パーツは、前記第１本体部の内部を充填する第１充填部を有し、前記第２パーツは、前記第２本体部の内部を充填する第２充填部を有する、組立用パーツセットが提供される。
好ましくは、前記第１充填部は、前記第１連結部の先に突き出る凸状部を有する、組立用パーツセットが提供される。
好ましくは、前記第２充填部は、前記第２連結部の手前に窪む凹状部を有し、前記第１パーツ及び前記第２パーツが連結している状態において、前記凸状部は、前記凹状部に挿入されている、組立用パーツセットが提供される。
好ましくは、前記第１充填部又は前記第２充填部には、磁石が設けられている、組立用パーツセットが提供される。
好ましくは、前記凸状部及び前記凹状部のうちの少なくとも一方は、前記磁石を有し、前記凸状部と前記凹状部は、前記磁石の磁力により引き合う、組立用パーツセットが提供される。
好ましくは、香りを発生させる香り発生部を有する、組立用パーツセットが提供される。
好ましくは、前記観賞用の模型は、植物の模型である、組立用パーツセットが提供される。
好ましくは、前記第１パーツ又は前記第２パーツは、前記植物の葉または花に対応するパーツである、組立用パーツセットが提供される。
好ましくは、香りを発生させる香り発生部を有し、前記香りは前記植物の模型に関連する香りである、組立用パーツセットが提供される。
好ましくは、光を発生させる光発生部を有する、組立用パーツセットが提供される。
【０００８】
本発明によれば、第１及び第２パーツを連結することで観賞用の模型を自作することができ、ユーザーの技量によって出来栄えに差が生じることを抑制することができる。
【図面の簡単な説明】
【０００９】
【図１】図１は、幹、枝、葉及び鉢から構成される観賞用の組立用パーツセット１００を示している。
【図２】図２は、第１パーツ１と第２パーツ２とが分離している状態を示す斜視図である。
【図３】図３Ａは、第１パーツ１と第２パーツ２とが分離している状態を示す側面図である。図３Ｂは、図３Ａに示すＡ−Ａ断面図である。
【図４】図４は、変形例に係る第１パーツ１及び第２パーツ２を示す斜視図である。
【図５】図５Ａは、変形例に係る第１パーツ１及び第２パーツ２が分離している状態を示す側面図である。図５Ｂは、図５Ａに示すＡ−Ａ断面図である。
【発明を実施するための形態】
【００１０】
以下、図面を用いて本発明の実施形態について説明する。
【００１１】
実施形態
１  組立用パーツセット１００の全体構成
図１は、幹、枝、葉及び鉢から構成される観賞用の組立用パーツセット１００を示している。図１示すように、実施形態の組立用パーツセット１００は、盆栽模型であり、幹、枝、葉及び鉢等の構成における任意の位置で連結可能に構成されている。例えば、組立用パーツセット１００は、互いに連結可能な複数のパーツ５１を備えている。例えば、図１の破線で囲まれた領域Ａに示すパーツ５１は、盆栽模型の幹の位置に設けられている。実施形態において、対をなすパーツの一方が第１パーツ１であり、他方が第２パーツ２である。
【００１２】
２  第１及び第２パーツ１，２の構成
図２、図３Ａ及び図３Ｂを参照して、第１及び第２パーツ１，２の構成について説明する。なお、図２、図３Ａ及び図３Ｂでは、第１及び第２パーツ１，２のうちの連結部分及びその周辺をそれぞれ模式的に示しており、当該連結部分以外の部分については図示を省略している。組立用パーツセット１００は、対をなすパーツ５１（第１及び第２パーツ１，２）の組を複数有しており、各組の対をなすパーツ５１同士は、連結自在である。ここでは、領域Ａに示すパーツ５１（第１パーツ１及び第２パーツ２）の構成を説明する。
【００１３】
２−１  第１パーツ１
第１パーツ１は、第１本体部１Ａと、円柱状の第1本体部と第２パーツ２とを連結させる第１連結部１Ｂと、第１磁石１Ｃとを備えている。
【００１４】
２−１−１  第１本体部１Ａ
第１本体部１Ａは、例えば樹脂で構成される柱状部材である。第１本体部１Ａは、第１充填部１Ａ１と、第１外殻部１Ａ２とを有している。第１外殻部１Ａ２は、第１本体部１Ａの外表面に形成された筒状体であり、例えば、盆栽表面を模した模様等が施されている。第１外殻部１Ａ２の内側には、第１充填部１Ａ１が形成されている。第１本体部１Ａは、第１充填部１Ａ１を備えているため、中実となっている。第１本体部１Ａの端部には、第１連結部１Ｂが設けられている。第１本体部１Ａの端部（第１充填部１Ａ１の端部）には、凹部１Ａ１１が形成されている。凹部１Ａ１１には、第１磁石１Ｃが設けられている。
【００１５】
２−１−２  第１連結部１Ｂ
第１連結部１Ｂは、例えば樹脂で構成され、第１本体部１Ａの端部に設けられる。第１連結部１Ｂは、図２に示すように、第１凹部１Ｂｒ及び第１凸部１Ｂｐが交互に並んだ形状を有する。具体的には、第１連結部１Ｂには、正弦波のような滑らかな凹凸形状が形成されている。換言すると、第１連結部１Ｂには、波形状が形成されている。
【００１６】
第１連結部１Ｂの端面Ｓｆ１と第１磁石１Ｃの端面１Ｃ１の位置関係は、第１連結部１Ｂ及び第２連結部２Ｂが係合しやすいように定められている。具体的には、図３Ａに示すように、第１連結部１Ｂの第１凹部１Ｂｒと第２連結部２Ｂの第２凸部２Ｂｐが係合できるように、且つ、第１連結部１Ｂの第１凸部１Ｂｐと第２連結部２Ｂの第２凹部２Ｂｒが係合できるように、第１連結部１Ｂの端面Ｓｆ１は、第１磁石１Ｃの端面１Ｃ１よりも引っ込んだ位置にある。
【００１７】
また、第１連結部１Ｂは、環状に構成されており、第１磁石１Ｃの周囲に沿うように設けられている。第１連結部１Ｂの内周面と第１磁石１Ｃの側周面との間には、隙間は形成されていない。これにより、第１磁石１Ｃが動いてしまうことが抑制されている。
【００１８】
また、実施形態では、上述したように、第１連結部１Ｂの第１凹部１Ｂｒと第２連結部２Ｂの第２凸部２Ｂｐとが係合し、第１連結部１Ｂの第１凸部１Ｂｐと第２連結部２Ｂの第２凹部２Ｂｒとが係合している。つまり、第１パーツ１と第２パーツ２とが連結された状態において、第１連結部１Ｂは、第２連結部２Ｂに噛み合うように接触している。この際、第１パーツ１又は第２パーツ２の両方又は一方が、第１パーツ１又は第２パーツ２の軸を中心とする回転力を受けたとき、第１及び第２連結部１Ｂ，２Ｂは、互いに噛み合うように接触しているので、第１及び第２連結部１Ｂ，２Ｂには、摩擦力が発生する。これにより、ユーザーが意図しないで第１パーツ１又は第２パーツ２に力を加えてしまったときやユーザーが意図しない外力（例えば、近くの物体にぶつかる等）が加えられたときにおいて、第１パーツ１及び第２パーツ２がずれたりせず、第１パーツ１及び第２パーツ２は安定した連結状態を維持することができる。ユーザーが第１パーツ１又は第２パーツ２を回転させることを意図して力を加えたときにおいては、第１及び第２連結部１Ｂ，２Ｂには波形状が滑らかに形成されているので、ユーザーはスムーズに第１及び第２連結部１Ｂ，２Ｂを回転させることができる。
【００１９】
２−１−３  第１磁石１Ｃ
第１磁石１Ｃは第１連結部１Ｂと干渉しない直径を有する円柱形状である。第１磁石１Ｃは、第１本体部１Ａの端部（第１充填部１Ａ１の端部）に設けられた凹部１Ａ１１に配置されている。そして、第１磁石１Ｃは、例えば、第１磁石１Ｃの中心が第１本体部１Ａの中心と一致するように配置される。第１磁石１Ｃの端面１Ｃ１は、第１連結部１Ｂの端面Ｓｆ１よりも突き出た位置に設けられている。このため、図２及び図３Ｂに示すように、第１パーツ１には、第１磁石１Ｃが設けられた部分に凸状部Ｐｒが形成されることになる。つまり、実施形態では、凸状部Ｐｒは、磁石を有し、且つ、凸状部Ｐｒは、第２パーツ２へ挿入可能となっている。その結果、第１パーツ１及び第２パーツ２は、凹凸による係合が実現可能な構成となっており、磁力だけでなく構造的にも結合可能に構成されている。
【００２０】
２−２  第２パーツ２について
第２パーツ２は、第２本体部２Ａと、円柱状の第２本体部と第１パーツとを連結させる第２連結部２Ｂと、第２磁石２Ｃとを備えている。
【００２１】
２−２−１  第２本体部２Ａ
第２本体部２Ａは、例えば樹脂で構成される柱状部材である。第２本体部２Ａは、第２充填部２Ａ１と、第２外殻部２Ａ２とを有している。第２外殻部２Ａ２は、第２本体部２Ａの外表面に形成された筒状体であり、例えば、盆栽表面を模した模様等が施されている。第２外殻部２Ａ２の内側には、第２充填部２Ａ１が形成されている。第２本体部２Ａは、第２充填部２Ａ１を備えているため、中実となっている。第２本体部２Ａの端部には、第２連結部２Ｂが設けられている。第２本体部２Ａの端部（第２充填部２Ａ１の端部）には、凹部２Ａ１１が形成されている。凹部２Ａ１１には、第２磁石２Ｃが設けられている。
【００２２】
２−２−２  第２連結部２Ｂ
第２連結部２Ｂは、例えば樹脂で構成され、第２本体部２Ａの端部に設けられる。第２連結部２Ｂは、図２に示すように、第２凹部２Ｂｒ及び第２凸部２Ｂｐが交互に並んだ形状を有する。具体的には、第２連結部２Ｂには、正弦波のような滑らかな凹凸形状が形成されている。換言すると、第２連結部２Ｂには、波形状が形成されている。
【００２３】
第２連結部２Ｂの端面Ｓｆ２と第２磁石２Ｃの端面２Ｃ１の位置関係は、第２連結部２Ｂ及び第１連結部１Ｂが係合しやすいように定められている。具体的には、図３Ａに示すように、第１連結部１Ｂの第１凹部１Ｂｒと第２連結部２Ｂの第２凸部２Ｂｐが係合できるように、且つ、第１連結部１Ｂの第１凸部１Ｂｐと第２連結部２Ｂの第２凹部２Ｂｒが係合できるように、第２連結部２Ｂの端面Ｓｆ２は、第２磁石２Ｃの端面２Ｃ１よりも突き出た位置にある。
【００２４】
また、第２連結部２Ｂは、環状に構成されており、第２磁石２Ｃの周囲に沿うように設けられている。第２連結部２Ｂの内周面と第２磁石２Ｃの側周面との間には、隙間は形成されておらず、第２磁石２Ｃの位置がずれてしまうことが抑制されている。
【００２５】
２−２−３  第２磁石２Ｃ
第２磁石２Ｃは第２連結部２Ｂと干渉しない直径を有する円柱形状である。第２磁石２Ｃは、第２本体部２Ａの端部（第２充填部２Ａ１の端部）に設けられた凹部２Ａ１１に配置されている。そして、第２磁石２Ｃは、例えば、第２磁石２Ｃの中心が第２本体部２Ａの中心と一致するように配置される。第１パーツ１に対向する第２磁石２Ｃの端面２Ｃ１は、第２連結部２Ｂの端面Ｓｆ２よりも引っ込んだ位置に設けられている。つまり、第２パーツ２には、第１パーツ１を挿入可能な凹状部Ｒｓが形成されている。凹状部Ｒｓは、凸状部Ｐｒを挿入可能となっている。第２磁石２Ｃは、第１磁石１Ｃと磁力により引き合う。
【００２６】
３  実施形態の効果
実施形態に係る組立用パーツセット１００は、各パーツを連結することで観賞用の模型を手軽に自作することができ、ユーザーの技量によって出来栄えに差が生じることが抑制されている。
【００２７】
実施形態に係る組立用パーツセット１００の各連結部は、凹部と凸部を有するので、パーツ同士が係合可能になり、意図しない力を与えたときであっても安定した連結が可能となる。
【００２８】
実施形態に係る組立用パーツセット１００の連結部は、滑らかな凹部と凸部が形成されており、意図しない力が加えられても摩擦しながら回転するため、各パーツに無理な力がかからず破損等することを抑制することができる。逆に、ユーザーが意図的に力を加えたときには、ユーザーはスムーズに各パーツを回転させることができるため、各パーツの位置の微調整が容易になる。また、各パーツの形状が非対称な形状等である場合には、各パーツを回転させることにより、観賞用の模型の形状を変化させることができ、ユーザーにとって異なる見た目とすることができる。
【００２９】
各パーツに設けられた各磁石の一方は、各連結部よりも突き出た位置に設けられ、他方は、引っ込んだ位置に設けられている。このため、磁石は、パーツ同士が連結する際にガイドの役目を果たし、安定した係合が可能となる。
【００３０】
本体部端部に磁石を使用することで、パーツ同士を適度な力で連結することができる。これにより、ユーザーの連結作業が容易になり、模型の損傷等を抑制することができるだけでなく、ユーザーが手指を怪我してしまうことも抑制することができる。
【００３１】
４  変形例
４−１  変形例１：第１及び第２連結部１Ｂ，２Ｂの形状
図４、図５Ａ及び図５Ｂは、図２に示す各パーツの各連結部形状の別のバリエーションを示している。第１連結部１Ｂの形状及び第２連結部２Ｂの形状は、滑らかな波形状ではなく、急峻な山形状である。図２の構成では、幹の軸方向に回転外力を受けたとき、各連結部はお互い接触した状態で回転可能であるのに対し、本変形例１の構成は、ユーザーが意図的に回転させようとしたときに相対的に回転し難くなるが、意図しない力が加わっても安定した係合状態をより維持しやすいというメリットがある。
【００３２】
なお、本変形例１の構成の他に、各連結部の形状は、矩形状の凹凸が櫛状に交互に形成されてもよい。つまり、変形例１の各連結部は、山形状であるため、鋭角の斜面を有するが、これに限定されるものではなく、各連結部は、鋭角の斜面の代わりに、各本体部の長手方向に立ち上がる面が形成された形態であってもよい。この構成では、ユーザーが意図的にパーツを回転させようとしたときに回転させることはできないため、ユーザーは各パーツを回転させるときに各パーツの連結を一旦解除する必要があるが、非常に安定した係合状態を維持することができる。
【００３３】
４−２  変形例２：第１及び第２パーツ１，２の連結手段
磁石は必ずしも対である必要はなく、一方を鉄等の磁性体に置き換えても良い。また、磁石ではなく、例えば一方の本体部を凸形状にしたり、もう片方の本体部を凹形状にして係合するように連結させたりしても良い。また、磁石ではなく、面ファスナーやゲル状両面テープ、連結式プラスチック等でもよい。あるいは、各連結部のみで十分係合状態が保たれる場合は、各磁石あるいは上記連結手段はなくてもよい。
【００３４】
４−３  変形例３：香り発生部
例えば、植物の模型であれば、パーツの中に香りを発生させる香り発生部を持たせ、関連する香りを発生させることができる。また、パーツの中に限らず、鉢や花、葉等の模型に埋め込み、香りを発生させても構わない。例えば、香り発生部は、香りを有する液体が貯留されたデフューザー等で構成することがでる。この場合、香り発生部は、例えば、ユーザーが模型に設けられたボタンを押すことで香り成分が吹き出るように構成することができる。変形例３では、ユーザーに癒しを提供することができる。
【００３５】
４−４  変形例４：光発生部
例えば、植物の模型であれば、パーツの中に光を発生させる光発生部を持たせ、適当なタイミングで光を発生させることができる。また、パーツの中に限らず、鉢や花、葉等の模型に埋め込み、光を発生させても構わない。変形例４も、ユーザーに癒しを提供することができる。
【００３６】
その他、枝、幹、鉢及び装飾品等の中に香り、蒸気、光、音等の五感を刺激する現象を発生させる装置と組み込み、ユーザーに癒しを提供する構成としてもよい。
【００３７】
４−５  その他変形例
実施形態で説明した連結部（第１及び第２連結部１Ｂ，２Ｂ）の構成は、幹以外に、分枝、枝、葉、鉢等に設けられていても良い。また、模型は盆栽に限定されるものではなく、例えば、別の植物（例えば、幹、分枝、枝、葉等以外に花を有する植物）や動物（例えば、動物の関節に連結部を適用する）、又は食物等の模型であっても良い。
【００３８】
第１本体部１Ａと第１連結部１Ｂとは、一体成形されているが、第１本体部１Ａと第１連結部１Ｂが別体で構成され、互いに連結されているものであってもよい。また、実施形態では、第１本体部１Ａは第１充填部１Ａ１を有しているが、第１磁石１Ｃが設けられる凹部１Ａ１１が形成できれば、必ずしも第１充填部１Ａ１は設けなくても良い。
なお、ここでは第１パーツ１を例として説明したが、第２パーツ２についても同様である。
【００３９】
各本体部（第１及び第２本体部１Ａ，２Ａ）の断面は円形に限らず多角形でもよい。また、各パーツ（第１及び第２パーツ１，２）の各本体部及び各連結部の径は、一定である必要はなく、任意の場所で任意の径に変化させても良い。
【００４０】
各磁石（第１及び第２磁石１Ｃ，２Ｃ）は、設置可能な範囲内で２つ以上のパーツから構成されても良い。また、磁石断面形状は円形状でなくても多角形状であってもよい。また、各磁石の端面の位置は、各連結部の凸部の頂部の位置に一致していてもよい。更に、各磁石の一方を鉄等の磁性体に置き換えても良い。
【００４１】
実施形態では、各パーツが磁石を有する形態であるが、磁石を有していなくてもよい。つまり、各磁石が設けられている部分が、樹脂であってもよい。この場合には、第１パーツ１及び第２パーツ２は、磁力を利用した連結は実現できないものの、構造的な凹凸による係合（凹状部と凸状部とによる係合）は実現されているので、互いに連結可能である。
【００４２】
実施形態では、第１連結部１Ｂにおける凹凸（第１凹部１Ｂｒ及び第１凸部１Ｂｐ）と、第２連結部２Ｂにおける凹凸（第２凸部２Ｂｐ及び第２凹部２Ｂｒ）とが、係合するものとして説明したが、これに限定されるものではない。第１連結部１Ｂにおける凹凸と第２連結部２Ｂにおける凹凸とが、嵌合する形態であってもよい。第１連結部１Ｂにおける凹凸と第２連結部２Ｂにおける凹凸との嵌合は、例えば、凹凸のクリアランスを適宜調整することで、実現することができる。
また、実施形態では、凸状部Ｐｒが凹状部Ｒｓに挿入されるものとして説明したが、ここで、凸状部Ｐｒが、凹状部Ｒｓへ圧入され、凸状部Ｐｒと凹状部Ｒｓとが嵌合するように構成されていてもよい。
【００４３】
第１連結部１Ｂの第１凸部１Ｂｐの数は、例えば、３，４，５，６，７，８，９，１０，１１，１２，１３，１４，１５，１６，１７，１８，１９，２０のいずれかに設定してもよく、また、これらの値のうちの２つの範囲に設定してもよい。なお、第２連結部２Ｂの第２凹部２Ｂｒの数は、第１連結部１Ｂの第１凸部１Ｂｐの数と同様である。
第１連結部１Ｂ及び第２連結部２Ｂの外径は、例えば、０．５ｃｍ，０．７５ｃｍ，１．２５ｃｍ，１．５ｃｍ，１．７５ｃｍ，２ｃｍ，２．２５ｃｍ，２．５ｃｍ，２．７５ｃｍ，３ｃｍ，３．２５ｃｍ，３．５ｃｍ，３．７５ｃｍ，４ｃｍ，４．２５ｃｍ，４．５ｃｍ，４．７５ｃｍ，５ｃｍのいずれかに設定してもよく、また、これらの値のうちの２つの範囲に設定してもよい。また、第１連結部１Ｂ及び第２連結部２Ｂの外径は、同じであってもよいし、異なっていてもよい。
第１連結部１Ｂ及び第２連結部２Ｂの厚みは、例えば、１ｍｍ、２ｍｍ、３ｍｍ、４ｍｍ、５ｍｍ、６ｍｍ、７ｍｍ、８ｍｍ、９ｍｍ、１０ｍｍのいずれかに設定してもよく、また、これらの値のうちの２つの範囲に設定してもよい。また、第１連結部１Ｂ及び第２連結部２Ｂの厚みは、同じであってもよいし、異なっていてもよい。
【００４４】
各本体部、各連結部は樹脂製が好ましいが、その限りではなく、例えば、紙や金属等であってもよい。
【００４５】
第１パーツ１の第２パーツ２に対向しない側の端部は、葉などの装飾物が配置されても良いし、例えば、第１連結部１Ｂ及び第１磁石１Ｃ、又は、第２連結部２Ｂ及び第２磁石２Ｃが設けられていてもよい。第２パーツ２についても同様である。
【００４６】
第１パーツ１及び第２パーツ２の各本体部は、各磁石が設置できれば必ずしも充填される必要はなく、空洞であっても良い。
【００４７】
第１パーツ１は、第２パーツ２の各構成を更に有するようにしてもよく、同様に第２パーツ２は、第１パーツ１の各構成を更に有するようにしてもよい。すなわち、パーツによっては第１パーツ１及び第２パーツ２の両方の構成を有するようにしてもよい。
【００４８】
第１パーツ１及び第２パーツ２の数に制限を設けなければ、より多くの第１パーツ１及び第２パーツ２を連結することにより、様々な形状や大きさの観賞用の模型を組み立てることができる。この場合、組み立てに用いる各パーツの種類や数はユーザーが適宜調整することができる。
【００４９】
実施形態、上述した変形例は、単独で実施すること、あるいは各々を組み合わせることが可能である。
【符号の説明】
【００５０】
１        ：第１パーツ
１Ａ      ：第１本体部
１Ａ１    ：第１充填部
１Ａ１１  ：凹部
１Ａ２    ：第１外殻部
１Ｂ      ：第１連結部
１Ｂｐ    ：第１凸部
１Ｂｒ    ：第１凹部
１Ｃ      ：第１磁石
１Ｃ１    ：端面
２        ：第２パーツ
２Ａ      ：第２本体部
２Ａ１    ：第２充填部
２Ａ１１  ：凹部
２Ａ２    ：第２外殻部
２Ｂ      ：第２連結部
２Ｂｐ    ：第２凸部
２Ｂｒ    ：第２凹部
２Ｃ      ：第２磁石
２Ｃ１    ：端面
５１      ：パーツ
１００    ：組立用パーツセット
Ｐｒ      ：凸状部
Ｒｓ      ：凹状部
Ｓｆ１    ：端面
Ｓｆ２    ：端面
【要約】      （修正有）【課題】ユーザーの技量によって出来栄えに差が生じることを抑制することができる、自作可能な観賞用の模型を提供する。【解決手段】観賞用の模型を組み立てるための少なくとも第１パーツ１及び第２パーツ２を備えた組立用パーツセットであって、該第１パーツ１は、第１本体部と、該第２パーツ２と連結するための第１連結部とを有し、該第２パーツ２は、第２本体部と、該第１パーツ１と連結するための第２連結部とを有する組立用パーツセットとする。【選択図】図１【図１】
0006876315.tif 000002
【図２】
0006876315.tif 000003
【図３】
0006876315.tif 000004
【図４】
0006876315.tif 000005
【図５】
0006876315.tif 000006